(57)【要約】【課題】表示部が本体部に対して２軸方向に回転可能な電子機器であって、表示面に垂直な方向の厚みを抑えた構造で、表示面の縦横の向きを変えることができる電子機器を提供すること。【解決手段】本体部１０と、縦横比が異なる表示面２５を有する表示部２０と、本体部１０に対して、第１回転軸と第２回転軸とを有し、本体部１０に対して第１回転軸と第２回転軸との軸周りに回転可能に表示部２０を連結する連結部３０と、を有する電子機器１であって、表示部２０は、支持部材２２と表示部本体２１とを有し、支持部材２２が、連結部３０を介して本体部１０と連結され、表示部本体２１が、表示面２５を備えるとともに、支持部材２２にヒンジ部２３，２４を介して回転可能に連結され、表示部本体２１を回転した際に表示面２５の縦横及び表裏が入れ替わるように、ヒンジ部２３，２４の回転軸２３ａ，２４ａが表示面２５に沿って配設されている。【選択図】        図４
2011154304.tif 000002
【特許請求の範囲】
【請求項１】
本体部と、
縦横比が異なる表示面を有する表示部と、
前記本体部に対して、左右方向に延在する第１回転軸と上下方向に延在する第２回転軸とを有し、前記本体部に対して前記第１回転軸と第２回転軸との軸周りに回転可能に前記表示部を連結する連結部と、を有する電子機器であって
前記表示部は、支持部材と表示部本体とを有し、
前記支持部材が、前記連結部を介して前記本体部と連結され、
前記表示部本体が、前記表示面を備えるとともに、前記支持部材にヒンジ部を介して回転可能に連結され、
前記表示部本体を回転した際に前記表示面の縦横及び表裏が入れ替わるように、前記ヒンジ部の回転軸が前記表示面に沿って配設されていることを特徴とする電子機器。
【請求項２】
前記ヒンジ部は、前記表示部の連結部側と先端部側の両端部に対に配設され、連結部側のヒンジ部が前記表示部本体の前記表示面とは反対側の面から突出し、先端部側のヒンジ部が前記反対側の面より内側に配設されていることを特徴とする請求項１に記載の電子機器。
【発明の詳細な説明】
【技術分野】
【０００１】
本発明は、表示部が本体部に対して２軸方向に回転可能に支持されている電子機器に関するものである。
【背景技術】
【０００２】
従来、上述のような電子機器として、所謂コンバーチブル型タブレットＰＣと呼ばれるノートブック型パーソナルコンピュータ（以下、ノート型ＰＣと記す）がある（例えば、特許文献１参照）。このノート型ＰＣは、ペン入力可能な液晶パネルを備え、この液晶パネルを１８０度回転させることによって、タブレットとして使用することができるものである。
【０００３】
このノート型ＰＣは、液晶パネルを含む表示部と、この表示部が回転可能に連結されるＰＣ本体部とを有する。ＰＣ本体部には、コンピュータを構成する部品が内蔵されているとともに、その上面には、キーボードが配設されている。表示部は、通常のノート型ＰＣと同様に、ＰＣ本体部の上面を覆う閉塞位置と、同上面を開放する位置である開放位置との間を開閉するようにヒンジ部を介してＰＣ本体部に連結されている。更に、この表示部は、開閉するだけでなく、ヒンジ部によってＰＣ本体部に対して１８０度回転することが可能となっている。即ち、表示部は、ＰＣ本体部に対して、上下方向に伸びる回転軸を中心として回転可能となっている。従って、表示部が開放位置に配置されている際に、表示部を１８０度回転させ、表示部の表示面（液晶パネルの表示面）を通常位置とは反対側向きに位置させた状態で、表示部を閉塞位置に閉じると、表示面がノート型ＰＣにおける上面を構成する状態となる。このノート型ＰＣは、この状態でタブレットＰＣとして使用することができる。
【０００４】
また、通常、ノート型ＰＣの表示面は、横長に構成され、横長画面で使用することを想定されているものであるが、タブレットＰＣとして使用される際には、ユーザーによっては、縦長画面として使用される。このようにタブレット時に縦画面として使用するユーザーにとっては、ノート時にも縦画面として使用したいという要望がある。
【０００５】
一方、通常のノート型ＰＣにおいて、横長画面を９０度回転させることにより縦長画面として使用することができるノート型ＰＣも種々提案されている（例えば特許文献２参照）。このノート型ＰＣは、表示部が、液晶パネルを含む表示部本体と、それを支持する支持部材とから構成さている。支持部材は、ＰＣ本体部に対して開閉可能に連結されており、この支持部材に表示部本体が９０度回転可能に取り付けられている。
【先行技術文献】
【特許文献】
【０００６】
【特許文献１】特開２００８−１３９７１１号公報
【特許文献２】特開２００９−２３０４０８号公報
【発明の概要】
【発明が解決しようとする課題】
【０００７】
しかし、上述の従来のノート型ＰＣにおける表示部を９０度回転させる回転機構は、表示面と垂直な回転軸を中心に表示部を回転させるものである。従って、回転軸の軸方向の長さが表示面と垂直な方向の厚みに付加されこととなる。回転軸の軸方向の長さは、回転軸を軸受けで受けるための十分な長さが必要であり、表示部の厚みが薄くすることが難しいという問題があった。
【０００８】
そこで、本発明はこのような従来の問題に鑑み、表示部が本体部に対して２軸方向に回転可能な電子機器であって、表示面に垂直な方向の厚みを抑えた構造で、表示面の縦横の向きを変えることができる電子機器を提供することを目的とする。
【課題を解決するための手段】
【０００９】
上述した課題を解決し、所期の目的を達成するための本発明にかかる電子機器は、本体部と、縦横比が異なる表示面を有する表示部と、前記本体部に対して、左右方向に延在する第１回転軸と上下方向に延在する第２回転軸とを有し、前記本体部に対して前記第１回転軸と第２回転軸との軸周りに回転可能に前記表示部を連結する連結部と、を有する電子機器であって前記表示部は、支持部材と表示部本体とを有し、前記支持部材が、前記連結部を介して前記本体部と連結され、前記表示部本体が、前記表示面を備えるとともに、前記支持部材にヒンジ部を介して回転可能に連結され、前記表示部本体を回転した際に前記表示面の縦横及び表裏が入れ替わるように、前記ヒンジ部の回転軸が前記表示面に沿って配設されていることを特徴とする。
【００１０】
また、本発明の電子機器は、上記構成に加えて、前記ヒンジ部は、前記表示部の連結部側と先端部側の両端部に対に配設され、連結部側のヒンジ部が前記表示部本体の前記表示面とは反対側の面から突出し、先端部側のヒンジ部が前記反対側の面より内側に配設されていることを特徴とする。
【発明の効果】
【００１１】
本発明の電子機器は、表示部が本体部に対して２軸方向に回転可能な電子機器において、表示部本体の縦横及び表裏を入れ替える回転機構としてヒンジ部をその回転軸が表示面に沿うように表示部本体に配設している。従って、同回転機構として表示面に垂直な回転軸を備えたものと比較した場合、容易に表示部本体の表示面に対して垂直方向の厚みを薄くすることができる。
【図面の簡単な説明】
【００１２】
【図１】図１は、本発明の実施の形態にかかる電子機器を示す斜視図である。
【図２】図２は、同上の電子機器を示す正面図である。
【図３】図３は、同上の電子機器を示す正面図である。
【図４】図４は、同上の電子機器を示す斜視図である。
【図５】図５は、同上の電子機器を示す正面図である。
【図６】図６は、同上の電子機器を示す正面図である。
【図７】図７は、同上の電子機器を示す斜視図である。
【図８】図８は、同上の電子機器を示す平面図である。
【図９】図９は、同上の電子機器の要部を示す背面図である。
【発明を実施するための形態】
【００１３】
以下に、本発明にかかる電子機器の実施の形態を図１〜図９に基づいて詳細に説明する。図１は、本発明である電子機器の実施形態の１つであるノート型ＰＣ１を示している。このノート型ＰＣ１は、所謂コンバーチブル型のタブレットＰＣである。ノート型ＰＣ１は、本体部１０と、表示部２０と、これらを回転可能に連結する連結部３０とを有している。
【００１４】
本体部１０は、平面視矩形状の平板状に形成されている。本体部１０は、箱状の本体筐体１１を有し、この本体筐体１１内にＣＰＵ等の制御手段や、メモリ、ハードディスク等の記憶手段や、電源装置等のコンピュータを構成する部品を備えている。本体筐体１１の上面部には、入力装置としてキーボード１２が配設されている。キーボード１２は、文字や記号が印字された複数のキートップ１２ａを備えている。操作者が、キートップ１２ａを押下するとそのキートップ１２ａに対応した信号が制御手段に入力される。
【００１５】
また、本体筐体１１の上面部においては、キーボード１２を打鍵する際に手のひらや手首を載せることができるようにパームレスト領域１３が形成されている。このパームレスト領域１３は、本体筐体１１の上面部であって、キーボード１２よりも手前側に形成されている。また、本体筐体１１の後端部には、連結部３０が配設されている。連結部３０は、本体部１０と表示部２０とを２軸方向に回転可能に連結するものである。
【００１６】
連結部３０は、第１ヒンジ部３１と第２ヒンジ部３２とから構成されている。第１ヒンジ部３１は、回転軸とその回転軸が回転可能に嵌合されている軸受けとを備えている。第１ヒンジ部３１は、回転軸（第１回転軸）が本体部１０と略平行となるように配設されている。即ち、第１ヒンジ部３１は、図２〜図３に示すように、その回転軸が左右方向に延在するように配設されている。第１ヒンジ部３１は、その軸受けが表示部２０に固定されている。第１ヒンジ部３１の軸受けは表示部２０に固定され、第１ヒンジ部３１の回転軸は第２ヒンジ部３２に固定されている。
【００１７】
第２ヒンジ部３２は、回転軸とその回転軸が回転可能に嵌合されている軸受けを備えている。第２ヒンジ部３２は、その回転軸（第２回転軸）が本体部１０と略垂直となるように本体部１０に配設されている。即ち、第２ヒンジ部３２は、回転軸が上下方向に延在するように配設されている。第２ヒンジ部３２は、その軸受けが本体部１０と一体となっている。また、第２ヒンジ部３２の上下方向に伸びる回転軸の左右から突出するように、第１ヒンジ部３１の回転軸が配設されている。第１ヒンジ部３１及び第２ヒンジ部３２の軸周りに回転可能に表示部２０が本体部１０に対して連結部３０を介して連結されている。
【００１８】
表示部２０は、液晶ディスプレイ、有機ＥＬディスプレイなどの表示装置を備えている。表示部２０は、この表示装置が配設されている表示部本体２１と、表示部本体２１を支持する支持部材２２とを有している。そして、この支持部材２２が連結部３０に連結され、表示部２０が本体部１０に対して開閉可能及び回転可能となっている。
【００１９】
支持部材２２は、図３〜図４に示すように、略Ｌ字を左右反転させた形の板状に形成され、Ｌ字の横に延在する部分を構成する横辺部２２ａと、Ｌ字の縦に延在する部分を構成する縦辺部２２ｂと、を有している。図３において、横辺部２２ａは、本体部１０の上面に沿った方向に延在し、縦辺部２２ｂは、本体部１０の上面から突出する方向に延在している。横辺部２２ａの下端部は、第１ヒンジ部３１の軸受け部分と固定されている。また、支持部材２２の横辺部２２ａの延在方向端部には、基端部側ヒンジ部２３が設置されている。縦辺部２２ｂの延在方向端部には、先端部側ヒンジ部２４が設置されている。
【００２０】
基端部側ヒンジ部２３及び先端部側ヒンジ部２４は、図７及び図８に示すように、それぞれ回転軸２３ａ、２４ａと軸受け２３ｂ，２４ｂとを有している。軸受け２３ｂ，２４ｂは、それぞれ回転軸２３ａ，２４ａの両端部を支持している。軸受け２３ｂ，２４ｂが支持部材２２に固定されている。そして、回転軸２３ａ，２４ａが表示部本体２１と固定されている。
【００２１】
また、基端部側ヒンジ部２３及び先端部側ヒンジ部２４は、その回転軸が支持部材２２の板面に沿うように配設されている。基端部側ヒンジ部２３及び先端部側ヒンジ部２４は、支持部材２２の端部から突出するように設けられている。基端部側ヒンジ部２３は、支持部材２２の板面よりも突出するように配設されている。一方、先端部側ヒンジ部２４は、支持部材２２の板面より突出しないように配設されている。
【００２２】
また、支持部材２２内には、表示装置と制御部とを電気的に接続するための配線２９が通っている。この配線２９は、本体部１０から連結部３０を通って支持部材２２に達するものであり、更に表示部本体２１へと繋がっている。この配線２９は、フレキシブルプリント基板によって構成されており、横辺部２２ａの延在方向端部であって、基端部側ヒンジ部２３の近傍を通って表示部本体２１内に達するようになっている。
【００２３】
表示部本体２１は、平面視矩形状の平板状に形成されており、一面に表示装置の表示面２５が配設されている。表示面２５は、長方形状等の縦横比が異なる形状に形成されている。表示部本体２１の表示面２５とは反対側の面（以降、背面２６と記す）には、支持部材２２が嵌る嵌合溝２７が形成されている。尚、本実施の形態においては、表示部本体の表示面側の面を表面、反対側の面を背面とする。
【００２４】
嵌合溝２７は、支持部材２２が嵌るＬ字を左右反転させた形状の溝状に形成されている。即ち、図３に示すように、表示部本体２１の背面において、支持部材２２の横辺部２２ａが嵌合される左右方向に延在する部分と、縦辺部２２ｂが嵌合される上下方向に延在する部分とを有している。嵌合溝２７に支持部材２２が嵌合した際には、表示部本体２１の背面２６より、支持部材２２の板状面が突出しないようになっている。
【００２５】
また、図３に示すように、嵌合溝２７の左右方向に延在する部分の左側端部には、基端部側ヒンジ部２３が配設されている。即ち、基端部側ヒンジ部２３は、表示部本体２１の
連結部３０側の端部に配設されている。基端部側ヒンジ部２３は、嵌合溝２７の内壁から突出するように設けられている。基端部側ヒンジ部２３は、その回転軸が表示面２５に沿うとともに、その回転軸の延在方向が、表示面２５の縦方向、或いは横方向に対して略４５度となるように配設されている。基端部側ヒンジ部２３は、図７に示すように、その側面が表示部本体２１の背面２６よりも突出するように配設されている。
【００２６】
また、表示部本体２１の背面２６には、支持部材退避用凹部２８が形成されている。支持部材退避用凹部２８は、図３及び図８に示すように、表示部本体２１の背面２６側上端部に、表示部本体２１の左右方向に沿って一方側の側部が開放された溝状に形成されている。換言すると、支持部材退避用凹部２８は、表示部本体２１の上端部において段状に形成されている。また、支持部材退避用凹部２８の延在方向一方側端部は、嵌合溝２７の先端部と接しており、先端部側ヒンジ部２４が配設されている。即ち、先端部側ヒンジ部２４は、表示部本体２１の連結部３０側とは反対側の先端部に配設されている。また、表示装置と干渉しない位置に設けられている。
【００２７】
先端部側ヒンジ部２４は、支持部材退避用凹部２８の内壁から突出するように設けられている。先端部側ヒンジ部２４は、基端部側ヒンジ部２３と同様に、その回転軸が表示面２５に沿うとともに、その回転軸の延在方向が、表示面２５の縦方向、或いは横方向に対して略４５度となるように配設されている。即ち、基端部側ヒンジ部２３とその回転軸同士が略平行となるように配設されている。また、先端部側ヒンジ部２４は、図７に示すように、表示部本体２１の背面２６から突出しないように配設されている。
【００２８】
上述のように構成されたノート型ＰＣ１は、表示部２０が、通常のノート型ＰＣと同様に、本体部１０の上面を覆う閉塞位置（図７参照）と、同上面を開放する位置である開放位置（図１参照）との間を開閉するようになっている。より詳細には、表示部２０が第１ヒンジ部３１の回転軸周りに回転することによって本体部１０に対して開放位置と閉塞位置との間を移動する。また、任意の角度で表示部２０を停止した状態とすることができるようになっている。
【００２９】
更に、表示部２０は、図１及び図２に示す状態（横画面キーボード使用状態）から本体部１０に対して第２ヒンジ部３２の回転軸周りに約１８０度回転し、図３に示すように表示面２５の向きを反対にすることができる。この表示部２０が開放位置であって表示面２５が背面側を向いた状態（開放裏面状態）から、表示部２０を第１ヒンジ部３１の回転軸周りに閉じる方向に回転させると、図６に示す、表示部２０が本体部１０に覆いかぶさった状態であって、表示面２５が本体部１０とは反対側向き（図において上向き）の状態であるタブレット使用状態となる。
【００３０】
また、図３に示す状態から、基端部側ヒンジ部２３及び先端部側ヒンジ部２４の回転軸を中心軸として表示部本体２１を支持部材２２に対して約１８０度回転させると、図５に示す、表示部本体２１の表裏及び縦横が入れ替わり、縦画面キーボード使用状態となる。この際には、図９に示すように、支持部材２２の縦辺部２２ｂが表示部本体２１の支持部材退避用凹部２８に部分的に挿入された状態となっている。また、この状態においては、表示部本体２１の背面２６が支持部材２２の横辺部２２ａに当接した状態となっている。尚、表示部本体２１が回転して、縦画面キーボード使用状態となった際には、表示面２５の表示も横長表示から縦長表示に切り替わるようになっている。この縦画面キーボード使用状態は、表示面２５の短片部分が本体部１０に近接した状態である。当然、この縦画面キーボード使用状態から表示部２０を先端部側ヒンジ部２４及び基端部側ヒンジ部２３の回転軸の周りに逆回転させて開放裏面状態とし、この状態から第２ヒンジ部３２の回転軸周りに回転させて図２に示す横画面キーボード使用状態とすることができる。横画面キーボード使用状態となった際には、当然、表示も横長表示となる。更に、この横画面キーボード使用状態から、表示部２０を第１ヒンジ部３１の回転軸周りに、閉じ方向に回転させることにより、図７に示す閉塞状態とすることができる。
【００３１】
上述したように、表示面２５の縦横を入れ替えるように表示部本体２１を回転させる回転機構である基端部側ヒンジ部２３及び先端部側ヒンジ部２４は、その回転軸２３ａ，２４ａが表示面２５に沿って配設されている。従って、従来の表示面と回転軸が垂直となっている回転機構と比較して、容易に表示部本体２１の表示面２５と垂直な方向の厚みを薄くすることができる。また、本発明におけるノート型ＰＣ１は表示部本体２１をその表示面２５の縦横を入れ替えるように回転させる際に、縦横だけでなく表裏も入れ替えるように回転させるので、動きがダイナミックとなり、従来の製品と比較して需要者に対する訴求力を高めることができる。
【００３２】
また、基端部側ヒンジ部２３及び先端部側ヒンジ部２４は、表示部本体２１の端部であって、表示装置と緩衝しないように配設されているので、ヒンジ部の配設場所が確保し易く、容易に表示部本体２１を薄くすることができる。
【００３３】
また、支持部材退避用凹部２８を設けたことにより、先端部側ヒンジ部２４を表示部本体２１の裏面から突出させなくとも、表示部本体２１を支持部材２２に対して回転可能とすることができる。即ち、図３に示す開放裏面状態から図６に示すタブレット使用状態とした際に、パームレスト領域１３に先端部側ヒンジ部２４が当接することを防止することができる。即ち、パームレスト領域１３に先端部側ヒンジ部２４が挿入される凹部を設ける必要が無く、ユーザビリティを損なわずにすむ。
【００３４】
尚、本実施の形態においては、支持部材２２がＬ字形状に形成されているが、Ｌ形状でなくても、連結部３０と連結する部分と、ヒンジ部を設置する部分を備え、表示部２０を支持する為の十分な強度を有する形状であればよい。
【００３５】
また、本実施の形態においては、表示面２５の縦横を入れ替えるように表示部本体２１を回転させる回転機構として、基端部側ヒンジ部２３及び先端部側ヒンジ部２４の２つのヒンジ部を設けているが、ヒンジ部は１つでもよい。本実施の形態においては、本発明である電子機器をノート型ＰＣに適用した場合について説明したが、本発明を携帯型電話機に適用してもよい。
【符号の説明】
【００３６】
１    ノート型ＰＣ
１０   本体部
１１   本体筐体
１２   キーボード
１２ａ キートップ
１３   パームレスト領域
２０   表示部
２１   表示部本体
２２   支持部材
２２ａ 横辺部
２２ｂ 縦辺部
２３   基端部側ヒンジ部
２４   先端部側ヒンジ部
２５   表示面
２６   背面
２７   嵌合溝
２８   支持部材退避用凹部
３０   連結部
３１   第１ヒンジ部
３２   第２ヒンジ部
【図１】
2011154304.tif 000003
【図２】
2011154304.tif 000004
【図３】
2011154304.tif 000005
【図４】
2011154304.tif 000006
【図５】
2011154304.tif 000007
【図６】
2011154304.tif 000008
【図７】
2011154304.tif 000009
【図８】
2011154304.tif 000010
【図９】
2011154304.tif 000011